(57)【特許請求の範囲】
【請求項１】
野地板の妻側端部に固定されて上記野地板の妻側端面を覆う固定部材と、上記固定部材に係止された水切部材とを備え、上記水切部材は、上記野地板とその上方に配設された屋根外装材の双方の妻側端部を覆う水切片と、該水切片から反妻側に向かって上記野地板の表面を覆う屋根下葺材と上記屋根外装材との間を延びて先端部が折り返された水返し片とを有する建物のけらば構造であって、
上記水返し片の先端部は、該水返し片よりも先端側において上記野地板に固定された係止具に係止されており、
上記係止具は、上記水切部材の上記水返し片の先端部を切り出したものである、
ことを特徴とする建物のけらば構造。
【請求項２】
野地板上に屋根下葺材を介して屋根外装材を設置した建物のけらばの処理方法であって、野地板に固定部材を固定した後、屋根下葺材を野地板及び固定部材上に敷設し、次いで水切部材を上記固定部材の妻側端部に係止連結して水切部材が備える水返し片を屋根下葺材及び野地板上に配置し、
上記水切部材の上記水返し片の先端部を切り出したものを係止具として用い、
上記水切部材の上記水返し片の反妻側の先端に形成されている折り返し片に上記係止具の折り返し片を係止連結して屋根下葺材上に位置させるようにして上記係止具を上記水返し片よりも先端側において野地板に固定し、
この後、上記屋根下葺材上及び上記水返し片上に屋根外装材を設置することを特徴とする建物のけらば処理方法。
【発明の詳細な説明】
【技術分野】
【０００１】
本発明は、建物のけらば構造及び建物のけらば処理方法に関するものである。
【背景技術】
【０００２】
建物のけらば構造として、特許文献１に示されたものがある。これは図１に示すように、垂木２０に支持された野地板３に屋根外装材４、固定部材１及び水切部材２を設けて構成されている。野地板３の妻側端部の下方には、垂木１５に支持された破風１２（破風板１２ａ）が設けられている。
【０００３】
鋼板等の薄板材を折り曲げ加工して形成された固定部材１は、固定片６と、この固定片６の一端縁から下方に垂下する係止支持片５とからなる断面略Ｌ字状で、固定片６を野地板３の妻側端部上に配置し、ビス等の固着具１４を打入するなどして固定することで、固定部材１が設置される。このとき係止支持片５は野地板３の妻側端縁から下方に垂下するように配置され、且つ破風１２（破風板１２ａ）の外方に間隔をあけて配置される。
【０００４】
固定部材１を設置した後、アスファルトルーフィング等の防水シートである屋根下葺材１１を野地板３上に敷設する。このとき屋根下葺材１１は固定片６の上面にも敷設される。
【０００５】
次に水切部材２が設置される。水切部材２も鋼板等の薄板材を折り曲げ加工することで形成されたもので、水返し片７の一端縁に下水切片８と上水切片９を設けたものとなっている。水返し片７には、屈曲成形等により下方に開口する軒棟方向の複数の排水溝１３が設けられている。また、水返し片７の側縁には、はぜ折りによって形成された折り返し片１５が設けられている。
【０００６】
下水切片８は水返し片７の一端縁から下方に延出されて、その下端は水返し片７側に鋭角状に折り返されて、弾性を有するばね係止片１０が形成されている。また、上水切片９は水返し片７の一端縁から外側方に延出された下側水切片９ａ、この下側水切片９ａから上方に延出された木口水切片９ｂ、この木口水切片９ｂの上端縁から水返し片７側に向けて延出された上側水切片９ｃにて構成された断面略コ字状に形成されている。
【０００７】
水切部材２は、固定部材１の係止支持片５の下端に下水切片８のばね係止片１０を引っ掛け係止した状態で、水返し片７を野地板３の上面に、固定部材１の固定片６の上に被せるようにして配置することで設置される。このとき、水返し片７と固定片６との間に屋根下葺材１１が介在することとなる。また、下水切片８は係止支持片５の外面側に沿って配置されることで破風１２（破風板１２ａ）の外方に間隔をあけて配置されると共にこの係止支持片５に引っ掛け係止されており、またこの下水切片８の下端のばね係止片１０は建物の破風１２に弾接して下水切片８と破風１２との間の隙間を閉塞する。また、上水切片９は下水切片８の上方においてこの下水切片８よりも外方に突出して配置されていることとなる。
【０００８】
屋根外装材４は上記のように固定部材１及び水切部材２が設置された状態で、野地板３上に屋根下葺材１１を介して敷設される。このとき、けらば部分においては、屋根外装材４の端部は野地板３の端縁よりも外方に突出するように敷設され、この屋根外装材４の突出部分が上水切片９に嵌合してこの上水切片９に覆われる。このとき屋根外装材４の前記突出部分における下面が下側水切片９ａに、木口が木口水切片９ｂに、上面が上側水切片９ｃによって覆われる。
【先行技術文献】
【特許文献】
【０００９】
【特許文献１】特許第５０３８６８４号公報
【発明の概要】
【発明が解決しようとする課題】
【００１０】
上記のけらば構造であると、固定部材１は野地板３に固着具１４で固定されているが、水切部材２は固定部材１に引掛係止されているだけである。けらば部分が強風であおられる場合を考えると、水切部材２も固着具で野地板３に固定してしまうほうが望ましい。
【００１１】
しかし、水切部材２の水返し片７を野地板３に固定具１９で固定すると、水返し片７の固定具１９の貫通箇所から雨水が屋内に浸入するおそれが高くなる。
【００１２】
本発明は上記問題に鑑みてなされたもので、防水性を低下させることなく水切部材の固定強度を高めることができる建物のけらば構造及び建物のけらば処理方法を提供することを課題とする。
【課題を解決するための手段】
【００１３】
本発明にかかる建物のけらば構造は、野地板の妻側端部に固定されて上記野地板の妻側端面を覆う固定部材と、上記固定部材に係止された水切部材とを備え、上記水切部材は、上記野地板とその上方に配設された屋根外装材の双方の妻側端部を覆う水切片と、該水切片から反妻側に向かって上記野地板の表面を覆う屋根下葺材と上記屋根外装材との間を延びて先端部が折り返された水返し片とを有する建物のけらば構造であって、上記水返し片の先端部は、該水返し片よりも先端側において上記野地板に固定された係止具に係止されており、上記係止具は、上記水切部材の上記水返し片の先端部を切り出したものである、ことに特徴を有している。
【００１４】
そして本発明にかかる建物のけらば処理方法は、野地板上に屋根下葺材を介して屋根外装材を設置した建物のけらばの処理方法であって、野地板に固定部材を固定した後、屋根下葺材を野地板及び固定部材上に敷設し、次いで水切部材を上記固定部材の妻側端部に係止連結して水切部材が備える水返し片を屋根下葺材及び野地板上に配置し、上記水切部材の上記水返し片の先端部を切り出したものを係止具として用い、上記水切部材の上記水返し片の反妻側の先端に形成されている折り返し片に上記係止具の折り返し片を係止連結して屋根下葺材上に位置させるようにして上記係止具を上記水返し片よりも先端側において野地板に固定し、この後、上記屋根下葺材上及び上記水返し片上に屋根外装材を設置することに特徴を有している。
【発明の効果】
【００１６】
本発明によれば、屋外外装材の妻側端部を覆う水切部材における屋外外装材と屋根下葺材との間に配される水返し片に連結した係止具を水切部材外のところで野地板に固定するために、係止具の固定のための固定具が屋根下葺材を貫通しても、この貫通部は水切部材外のところにあり、屋外外装材と水返し片との間に雨水が入り込んでも、この雨水は水切部材の水返し片における折り返し片を越えて上記貫通部に至ることはない。このために防水性を低下させることなく水切部材の固定強度を高めることができる。
【図面の簡単な説明】
【００１７】
【図１】従来例における建物のけらば部分の断面図である。
【図２】同上の水切部材の断面図である。
【図３】同上の固定部材の断面図である。
【図４】本発明の実施例の形態の一例における水切部材と固定具の斜視図である。
【図５】同上の固定具を水切部材から切り出すことを示す斜視図である。
【発明を実施するための形態】
【００１８】
以下本発明を図示実施例に基づいて詳述すると、本発明におけるけらば構造は、基本的には図１に示した従来例と同じであり、垂木２０に支持された野地板３に屋根外装材４、固定部材１及び水切部材２を設けて構成されている。
【００１９】
固定片６と、この固定片６の一端縁から下方に垂下する係止支持片５とからなる断面略Ｌ字状の固定部材１は、その固定片６を固定具１４で野地板３に固定されることで
建物のけらば部分に係止支持片５を下方に向けた状態で配設される。この時、固定部材１は長尺なものを野地板３の妻側端縁の全体に亘って設けても良く、複数の固定部材１を野地板３の妻側端縁に隙間無く連続させて設けても良い。
【００２０】
水切部材２も前記従来例と同様に、水返し片７と下水切片８と上水切片９とを有するものであり、水返し片７は複数の排水溝１３に加えて、はぜ折りによって形成された折り返し片１５が反妻側の先端に設けられている。これら排水溝１３と折り返し片１５により、屋根外装材４の下方に侵入した雨水を軒棟方向に排水することができると共に水返し片７の強度向上がなされている。
【００２１】
上水切片９は、水返し片７の一端縁から外側方に延出された下側水切片９ａ、この下側水切片９ａから上方に延出された木口水切片９ｂ、この木口水切片９ｂの上端縁から水返し片７側に向けて延出された上側水切片９ｃにて構成された断面略コ字状に形成されている。水返し片７の一端側から下方に延出された下水切片８の下端は、水返し片７側に鋭角状に折り返されて、弾性を有するばね係止片１０となっている。なお、水切部材２は、上側水切片９ｃで折り返されることで上水切片９は二重に形成されており、下水切片８は厳密には上水切片９の端縁から延出されている。このために、水切部材２は１枚の薄板材から形成できるものとなっている。
【００２２】
そして、固定部材１を固定具１４によって野地板３に固定し、固定部材１の係止支持片５に下水切片８の下端から折り返したばね係止片１０を引っ掛け係止して、固定部材１の固定片６上に屋根下葺材１１を介して水返し片７を載せることで、水切部材２をけらば部分に配設する。この時、上記ばね係止片１０の先端を建物の破風１２に弾接して下水切片８と破風１２との間の隙間を閉塞する。なお、下水切片８と破風１２との間に隙間が形成されていてもよい。
【００２３】
上記水切部材２の配設時に、係止具１６を利用することで、水切部材１の水返し片７を野地板３に固定する。係止具１６は、図４に示すように、その一端縁をはぜ折りすることで形成された引っ掛け部１７を備えたもので、この引っ掛け部１７を水返し片７における折り返し片１５に係止することで、係止具１６を水返し片７に連結する。そして水返し片７よりも更に先端側のところで係止具１６をビスや釘等の固定具で野地板３に固定することで、水切部材１の屋根外装材４と野地板３との間に配される水返し片７を野地板３に対して固定する。
【００２４】
係止具１６を固定する固定具は、防水のための屋根下葺材１１を貫通することになるが、この貫通部は、折り返し片１５を有する水返し片７の外側（建物の妻側端部から見て折り返し片１５よりも遠いところ）となる。従って、上水切片９と屋根外装材４との間から水返し片７上に水が入ってきても、排水溝１３に加えて折り返し片１５が存在することにより、上記貫通部にまで至ることはない。このために防水性を殆ど低下させることなく、水切部材２の固定強度を高めることができる。
【００２５】
ところで上記係止具１６であるが、これは別部品として用意するのではなく、建物の施工現場において、図５に示すように水切部材２の一部を切り取ることで得ている。つまり、水切部材２の水返し片７における折り返し片１５がある先端部から切り出したものを係止具１６とし、本来は折り返し片１５である部分を引っ掛け部１７として利用している。
【００２６】
施工現場において、水切部材２の長さ合わせで切り出した時に生じる端材や、水切部材２をその長手方向において継ぐ時の重ね合わせ部分となる部分から、係止具１６を得ることができるものであり、係止具１６を用いることによるコストの上昇はない。
【００２７】
また、はぜ折りで形成された折り返し片１５に係止する引っ掛け片１７は、そもそも折り返し片１５だった部分であるために、はぜ折り高さが折り返し片１５と引っ掛け片１７とで同じである。従って、水返し片７への係止具１６の連結も正確に行うことができる。
【００２８】
なお、係止具１６は、別部品として用意したものを用いてもよい。
【符号の説明】
【００２９】
１  固定部材
２  水切部材
３  野地板
４  屋根外装材
７  水返し片
８  下水切片
９  上水切片
１１  屋根下葺材
１５  折り返し片
１６  係止具
１７  引っ掛け片
【図１】
0006599714.tif 000002
【図２】
0006599714.tif 000003
【図３】
0006599714.tif 000004
【図４】
0006599714.tif 000005
【図５】
0006599714.tif 000006